(57)【要約】  【課題】  施錠状態と解錠状態とを容易に判別できると共に、施錠時と解錠時の操作性が良好な共同溝出入り口等の蓋用施錠装置を提供する。  【解決手段】  マンホール蓋用施錠装置１０は、ロックプレート１５ｃが出入するシリンダー錠ユニット１５と、シリンダー錠ユニットが着脱可能に嵌挿される貫通孔１１ａを有し、空洞部にシリンダー錠ユニットのロックプレートが係合可能な拡径部１１ｄが設けられ、空洞部に並行するように縦孔１１ｆが穿設された筒状本体部１１と、この縦孔に上下動可能に挿通されたインジケーターピン１２と、操作凹溝１３ａが上端に形成され、筒状本体部の空洞部の下端に回転可能に挿入された出力シャフト部材１３と、出力シャフト部材に対して相対的に回転しないように下端部１３ｄに固着され、軸部材の下端が当接する摺動溝１４ｄが形成され、マンホールの固定受枠３１側の受部３２に係脱するロック部材１４とを備える。  【選択図】  図１
2007247326.tif 000002
【特許請求の範囲】
【請求項１】
鍵の操作によりロックプレートを出入させて施錠するシリンダー錠ユニットと、マンホールの蓋の縦孔に嵌挿されて蓋に固着され、シリンダー錠ユニットが着脱可能に嵌挿される空洞部を有し、該空洞部にシリンダー錠ユニットのロックプレートが係合可能な係合部が設けられ、該空洞部に並行するように縦孔が穿設された筒状本体部と、該筒状本体部の縦孔に上下動可能に挿通された軸部材と、上端に回転操作されるための操作凹溝が形成され、筒状本体部の空洞部の下端に回転可能に挿入された出力シャフト部材と、該出力シャフト部材に対して相対的に回転しないように出力シャフト部材の下端部に固着され、前記軸部材の下端が当接する摺動溝が形成され、マンホールの固定受枠側の受部に係脱するロック部材とを備え、
前記出力シャフト部材を回転させてロック部材を受部から外したときに、ロック部材の摺動溝が軸部材を上方に押し上げ、軸部材の上端がシリンダー錠ユニットの所定箇所に当接して、シリンダー錠ユニットが筒状本体部の空洞部に所定深さまで挿着されることが妨げられることにより、鍵の操作による施錠を不可能にすることを特徴とするマンホール蓋用施錠装置。
【請求項２】
前記シリンダー錠ユニットには上端近傍に凸部が設けられ、筒状本体部における縦孔の上端に前記凸部が嵌合する切欠き部が設けられ、該切欠き部において軸部材の上端がシリンダー錠ユニットの凸部に当接し、シリンダー錠ユニットが筒状本体部の空洞部に所定深さまで挿着されることを妨げるものである請求項１に記載のマンホール蓋用施錠装置。
【請求項３】
前記シリンダー錠ユニットが筒状本体部の空洞部に所定深さまで挿着され、前記ロックプレートが前記筒状本体部の係合部に係合しているときに、前記シリンダー錠ユニットの凸部は、前記軸部材が上下動しないように規制するように設けられ、前記軸部材は、前記ロック部材の回動を規制するように設けられたものである請求項２に記載のマンホール蓋用施錠装置。
【発明の詳細な説明】
【技術分野】
【０００１】
本発明は、通信ケーブル、送電ケーブル、上下水道管を収納する共同溝等のマンホールの蓋に使用される施錠装置に関する。
【背景技術】
【０００２】
共同溝等の出入り口の蓋に使用される施錠装置では、錠前ユニットの鍵孔に泥等の異物が目詰まりしないように、鍵孔にキャップが嵌められたものがある。このような施錠装置では、施錠状態と解錠状態の判別が容易でないため、施錠し忘れた状態で鍵孔にキャップを嵌めてしまう可能性があり、この場合には、鍵が無くても蓋の開閉が可能になり、正当な権限者以外の者が共同溝に侵入する虞がある。
【０００３】
このような施錠し忘れを防止する機能を有する施錠装置としては、例えば、特許文献１に記載されたように、マンホールの蓋を上下方向に貫通する外筒と、この外筒に回転可能に収容された施錠軸と、施錠軸の下端部に固着され、固定受枠側の受部に係合する掛金板とからなり、解錠状態では施錠軸の上端が外筒の上端開口から突出するように形成したものがある。
【０００４】
しかしながら、特許文献１の施錠装置では、施錠軸の外周面にカム溝を形成し、このカム溝をガイドピンに摺動させることにより、下端に掛金板が固着された施錠軸全長を外筒内で上下動させるものであるため、施錠軸が比較的重く、開閉時にガタつき易くなり、施錠時と解錠時の操作性に課題がある。
【特許文献１】特許第３２９１２６９号公報
【発明の開示】
【発明が解決しようとする課題】
【０００５】
したがって、本発明の目的は、施錠状態と解錠状態とを容易に判別できると共に、施錠時と解錠時の操作性が良好な共同溝出入り口等の蓋用施錠装置を提供することである。
【課題を解決するための手段】
【０００６】
以下、課題を解決するための手段について、添付図面中の参照番号を付して説明する。
本発明では、鍵の操作によりロックプレート１５ｃを出入させて施錠するシリンダー錠ユニット１５と、マンホールの蓋３０の縦孔に嵌挿されて蓋に固着され、シリンダー錠ユニット１５が着脱可能に嵌挿される空洞部１１ａを有し、該空洞部１１ａにシリンダー錠ユニット１５のロックプレート１５ｃが係合可能な係合部１１ｄが設けられ、該空洞部１１ａに並行するように縦孔１１ｆが穿設された筒状本体部１１と、該筒状本体部１１の縦孔１１ｆに上下動可能に挿通された軸部材１２と、上端に回転操作されるための操作凹溝１３ａが形成され、筒状本体部１１の空洞部１１ａの下端に回転可能に挿入された出力シャフト部材１３と、該出力シャフト部材１３に対して相対的に回転しないように出力シャフト部材１３の下端部１３ｄに固着され、前記軸部材１２の下端が当接する摺動溝１４ｄが形成され、マンホールの固定受枠側の受部に係脱するロック部材１４とを備え、前記出力シャフト部材１３を回転させてロック部材１４を受部３２から外したときに、ロック部材１４の摺動溝１４ｄが軸部材１２の下端１２ａに当接して軸部材１２を上方に押し上げ、軸部材１２の上端がシリンダー錠ユニット１５の所定箇所１５ｂに当接して、シリンダー錠ユニット１５が筒状本体部１１の空洞部１１ａに所定深さまで挿着されることが妨げられることにより、鍵の操作による施錠を不可能にすることを特徴とするマンホール蓋用施錠装置１０が提供される。
【０００７】
本発明のマンホール蓋用施錠装置１０において、前記シリンダー錠ユニット１５には上端近傍に凸部１５ｂを設け、筒状本体部１１における縦孔１１ｆの上端に前記凸部１５ｂが嵌合する切欠き部１１ｇを設け、該切欠き部１１ｇにおいて軸部材１２の上端がシリンダー錠ユニット１５の凸部１５ｂに当接し、シリンダー錠ユニット１５が筒状本体部１１の空洞部１１ａに所定深さまで挿着されることを妨げるように構成しても良い。
【０００８】
本発明のマンホール蓋用施錠装置１０において、前記シリンダー錠ユニット１５が筒状本体部１１の空洞部１１ａに所定深さまで挿着され、前記ロックプレート１５ｃが前記筒状本体部１１の係合部１１ｄに係合しているときに、前記シリンダー錠ユニット１５の凸部１５ｂは、前記軸部材１２が上下動しないように規制するように設け、前記軸部材１２は、前記ロック部材１４の回動を規制するように設けることが好ましい。
【発明の効果】
【０００９】
本発明のマンホール蓋用施錠装置により、施錠状態或いは解錠状態を容易に判別できると共に、施錠時と解錠時に良好な操作性が得られる。
【発明を実施するための最良の形態】
【００１０】
以下、図面を参照して本発明について説明するが、本発明はこれに限定されるものではない。
【００１１】
本発明にかかるマンホール蓋用施錠装置１０は、図１に示したように、筒状本体部１１とインジケーターピン（軸部材）１２と出力シャフト部材１３とロック部材１４とシリンダー錠ユニット１５とを主要な構成として備え、図２に示したように、マンホールの蓋３０の縦孔に嵌挿されて固着され、ロック部材１４がマンホールの固定受枠３１側の受部３２に係合して施錠するものである。ここで、図１（ａ）は施錠時の状態を示すため図２のＡ−Ａ線に沿って切断した断面図であり、図１（ｂ）は開錠時の状態を示す断面図である。
【００１２】
次に、マンホール蓋用施錠装置１０の各構成について説明する。
図３（ａ）〜（ｄ）は、それぞれ筒状本体部１１の上面図、Ａ−Ａ線に沿った断面図、Ｂ−Ｂ線に沿った断面図、Ｃ−Ｃ線に沿った断面図である。
筒状本体部１１には、出力シャフト部材１３及びシリンダー錠ユニット１５を挿着するための貫通孔（空洞部）１１ａが中央に形成されている。貫通孔１１ａは、それぞれ内径が異なるキャップ受部１１ｂ、上部区間１１ｃ、拡径部（係合部）１１ｄ及び下端区間１１ｅを有する。キャップ受部１１ｂは、キャップ１６を嵌め込むために上端開口が段状に切り欠かれ、上部区間１１ｃはシリンダー錠ユニット１５が挿着され、拡径部１１ｄは上部区間１１ｃよりも内径が大きく形成され、下端区間１１ｅは上部区間１１ｃよりも内径が若干小さく形成されている。
筒状本体部１１の下端からは、縦孔１１ｆが貫通孔１１ａに並行するように穿設される。縦孔１１ｆの上端は、内周側の半分程度がキャップ受部１１ｂに貫通し、外周側の半分程度が筒状本体部１１の上端肉厚部分で覆われ、内周側に切欠き部１１ｇが形成されている。縦孔１１ｄの中間部は拡径部１１ｅを貫通し、縦孔１１ｄの下端１１ｈは上端付近よりも内径が若干大きく形成されている。
この縦孔１１ｆには、図３（ｅ）のインジケーターピン１２が上下動可能なように挿着されている。インジケーターピン１２は、図３（ｅ）のように上昇したときにも、縦孔１１ｆの上端開口の半分程度が筒状本体部１１の上端肉厚部分で覆われているため、縦孔１１ｆから上方に抜け出ることが抑止される。インジケーターピン１２は、図４（ｅ）に示したように、その下端１２ａがロック部材１４上を摺動し易いように球面状に形成されている。
また筒状本体部１１の外周面には段差部１１ｉが形成され、この段差部１１ｉには、図
１に示したように、Ｏリング１７と固定リングワッシャー１８が設けられる。
【００１３】
図４（ａ）〜（ｃ）は出力シャフト部材１３のそれぞれ上面図、側面図及び底面図であり、図４（ｄ）は図４（ｂ）の９０°回転方向から見た側面図である。
出力シャフト部材１３は、図４に示したように、上端に平面形状が六角形の操作凹溝１３ａが形成されたフランジ部１３ｂを有し、中間部１３ｃは円柱状に形成され、下端部１３ｄには螺子山が刻設されて両側に縦溝１３ｅが形成され、中央には材軸方向に延びる貫通孔１３ｆが設けられている。この出力シャフト部材１３は、図１に示したように筒状本体部１１の貫通孔１１ａに挿着され、フランジ部１３ｂが拡径部１１ｄに係合し、中間部１３ｃが筒状本体部１１の下端区間１１ｅに挿通され、下端部１３ｄにはロック部材１４が挿通され、皿バネ座金１９を介してナット２０で固定されている。
操作凹溝１３ａは、ここに工具を嵌めて、出力シャフト部材１３を回転操作するためのものである。また中間部１３ｃは円柱状に形成され、螺子山が刻設されていないものであるため、筒状本体部１１の貫通孔１１ａの下端区間１１ｅにおいて、回動可能となっている。
【００１４】
図５（ａ）はロック部材１４の上面図であり、図５（ｂ）〜（ｄ）はそれぞれ図５（ａ）におけるＡ−Ａ線に沿った断面図、Ｂ−Ｂ線に沿った断面図、Ｃ−Ｃ線方向から見た側面図である。
ロック部材１４には貫通孔１４ａが形成され、この貫通孔１４ａには係合凸部１４ｂが突設されている。この貫通孔１４ａは、前述の出力シャフト部材１３の下端部１３ｄを貫挿させるための部位であり、係合凸部１４ｂが出力シャフト部材１３の縦溝１３ｅに嵌合し、これにより出力シャフト部材１３とロック部材１４とは一体になって回動し、両部材１３，１４の空回りを防止することが可能になる。ロック部材１４の上面１４ｃは平らに形成され、この上面１４ａに摺動溝１４ｄが形成される。この摺動溝１４ｄは、最も深く刻設された最深部１４ｅから、先端１４ｆに向けて上昇する傾斜面１４ｇが円周状に延びており、先端１４ｆは上面１４ａとほぼ同じレベルとなっている。摺動溝１４ｄには、図１（ａ）に示したように、インジケーターピン１２の下端１２ａが当接しており、ロック部材１４を正逆方向に回動させるときには、傾斜面１４ｇがインジケーターピン１２の下端１２ａに摺動するものであるため、インジケーターピン１２は押し上げたり、下げられたりする。最も押し上げられた状態が図１（ｂ）に図示されている。
またロック部材１４の裏側には、貫通孔１４ａの周りに薄肉凹部１４ｇが形成され、この薄肉凹部１４ｇが、皿バネ座金１９やナット２０の収容空間になる。ロック部材１４において、薄肉凹部１４ｇが形成されていない部位１４ｈは、マンホールの固定受枠３１側の受部３２に係合するロック係合部１４ｈとして機能するものである。
【００１５】
図６（ａ）はシリンダー錠ユニット１５の斜視図であり、図６（ｂ）は施錠時のシリンダー錠ユニット１５を上方から見下ろした図であり、図６（ｃ）は開錠時の図である。
シリンダー錠ユニット１５は、円筒状のケーシング１５ａの上端近傍に凸部１５ｂが突設され、ケーシング１５ａの下端近傍にロックプレート１５ｃが突出可能に設けられ、鍵穴１５ｄに鍵（図示せず）を挿入して回すことにより、図６（ｂ）のようにロックプレート１５ｃがケーシング１５ａから突出したり、図６（ｃ）のようにロックプレート１５ｃが引込むように構成されたものである。
かようなシリンダー錠ユニット１５は、図１（ａ）に示したように、筒状本体部１１の貫通孔１１ａに挿着されたとき、ケーシング１５ａと貫通孔１１ａの上部区間１１ｃとの間にクリアランスがほとんど無く、シリンダー錠ユニット１５の凸部１５ｂは縦孔１１ｄの切欠き部１１ｇに嵌り込み、ロックプレート１５ｃは拡径部１１ｄに係合し、シリンダー錠ユニット１５が上方に抜き取り不可能になる。一方、図１（ｂ）のように、シリンダー錠ユニット１５のロックプレート１５ｃが拡径部１１ｄに位置していないときには、ロックプレート１５ｃは突出させることができず、つまり、鍵穴１５ｄに挿入した鍵を回すことはできない。
【００１６】
次に、マンホール蓋用施錠装置１０の作用について説明する。
図２に示したように、ロック部材１４がマンホールの固定受枠３１側の受部３２に係合して施錠されているときには、マンホール蓋用施錠装置１０は、図１（ａ）の状態になっている。
すなわち、インジケーターピン１２の下端１２ａがロック部材１４の摺動溝１４ｄの最深部１４ｅに接触し、インジケーターピン１２は最も下方に位置しており、筒状本体部１１の縦孔１１ｆの上端には若干隙間ができている。この隙間により、シリンダー錠ユニット１５の凸部１５ｂは、縦孔１１ｆの切欠き部１１ｇに嵌合し、シリンダー錠ユニット１５は図１（ａ）の高さまで筒状本体部１１の貫通孔１１ａに挿着される。
このとき、シリンダー錠ユニット１５は、下端が出力シャフト部材１３の上端に接触するか、あるいは、シリンダー錠ユニット１５の凸部１５ｂがインジケーターピン１２の上端に接触することにより、図１（ａ）の高さに保持されており、ケーシング１５ａから突出したロックプレート１５ｃは拡径部１１ｄに係合し、シリンダー錠ユニット１５は上方に抜き取り不可能になる。したがって、正当な権限者以外の者がキャップ１６を外したとしても、シリンダー錠ユニット１５は外すことができず、出力シャフト部材１３を回転操作することも不可能であり、マンホールの蓋３０を開くことはできない。
【００１７】
上述のように施錠されたマンホールの蓋３０を開錠して取り外し可能にするためには、シリンダー錠ユニット１５の鍵穴１５ｄに鍵を挿入して回し、ロックプレート１５ｃをケーシング１５ａ内に引込め、ロックプレート１５ｃと筒状本体部１１の拡径部１１ｄとの係合状態を解除し、シリンダー錠ユニット１５を筒状本体部１１から上方に引き抜く。そして、筒状本体部１１内に工具を挿入し、工具を出力シャフト部材１３の操作凹溝１３ａに嵌めて出力シャフト部材１３を回動させる。これにより、ロック部材１４は、マンホールの固定受枠３１側の受部３２から外れ、マンホールの蓋３０を開くことが可能になる。
【００１８】
ロック部材１４がマンホールの固定受枠３１側の受部３２から外れた状態になっているとき、マンホール蓋用施錠装置１０は、図１（ｂ）のような状態になっている。
すなわち、インジケーターピン１２の下端１２ａは、ロック部材１４の摺動溝１４ｄの先端１４ｆに接触し、インジケーターピン１２は最も上方に位置しており、インジケーターピン１２の上端は筒状本体部１１の縦孔１１ｆの上端まで達し、ここには、図１（ａ）と比較してほとんど隙間がない。このとき、シリンダー錠ユニット１５を筒状本体部１１内に挿入すると、その凸部１５ｂがインジケーターピン１２の上端に接触し、図１（ｂ）の状態よりも下方に入れることはできない。このように、シリンダー錠ユニット１５を筒状本体部１１へ完全に挿着できないことから、作業をしている者は、ロック部材１４がマンホールの固定受枠３１側の受部３２から外れていることが判る。
たとえ、作業者がこの状態を見逃したとしても、シリンダー錠ユニット１５が、図１（ｂ）の高さで止まっているときには、ロックプレート１５ｃは、筒状本体部１１の上部区間１１ｃにあるため、ケーシング１５ａの外側に突出させることができず、シリンダー錠ユニット１５の鍵穴１５ｄに挿入した鍵は回すことができない。このことから、作業をしている者は、ロック部材１４がマンホールの固定受枠３１側の受部３２から外れているか否かについて容易に判別することが可能になる。
【００１９】
また本発明のマンホール蓋用施錠装置１０では、施錠状態と解錠状態とが容易に判別できるという効果以外にも、交通振動等により誤って開錠してしまうことをも防止可能にするものである。すなわち、シリンダー錠ユニット１５が、図１（ａ）のように筒状本体部１１に挿着されているとき、ロックプレート１５ｃは拡径部１１ｄの上端に当接するように係合し、シリンダー錠ユニット１５はこれよりも上方に動くことが不可能になっている。このとき、シリンダー錠ユニット１５の凸部１５ｂは、インジケーターピン１２の上端に接触しているか、あるいは、ほとんど隙間が無い高さにあるため、インジケーターピン１２は、図１（ａ）の高さより上方に動くことが不可能になる。そして、インジケーターピン１２の下端１２ａは、ロック部材１４の摺動溝１４ｄの最深部１４ｅに当接しているため、このロック部材１４は、インジケーターピン１２の下端１２ａに規制されて回動不能になり、マンホールの固定受枠３１側の受部３２に係合した状態が保持される。
したがって、たとえ、交通振動等が激しい場所においても、ロック部材１４が誤って回動してしまい、マンホール蓋を開放可能にしてしまうことは防止することができる。
【図面の簡単な説明】
【００２０】
【図１】（ａ）は本発明に係るマンホール蓋用施錠装置の施錠時の状態を示す図２のＡ−Ａ線に沿った断面図であり、（ｂ）は開錠時の状態を示す断面図である。
【図２】マンホール蓋に取付けられたマンホール蓋用施錠装置を示す図である。
【図３】（ａ）〜（ｄ）はそれぞれ筒状本体部の上面図、Ａ−Ａ線に沿った断面図、Ｂ−Ｂ線に沿った断面図、Ｃ−Ｃ線に沿った断面図であり、（ｅ）はインジケーターピンの側面図である。
【図４】（ａ）〜（ｃ）は出力シャフト部材のそれぞれ上面図、側面図及び底面図であり、（ｄ）は（ｂ）の９０°回転方向から見た側面図である。
【図５】（ａ）はロック部材の上面図、（ｂ）〜（ｄ）はそれぞれ（ａ）におけるＡ−Ａ線に沿った断面図、Ｂ−Ｂ線に沿った断面図、Ｃ−Ｃ線方向から見た側面図である。
【図６】（ａ）はシリンダー錠ユニットの斜視図であり、（ｂ）は施錠時のシリンダー錠ユニットを上方から見下ろした図であり、（ｃ）は開錠時の図である。
【符号の説明】
【００２１】
１０  マンホール蓋用施錠装置
１１  筒状本体部
１１ａ  貫通孔（空洞部）
１１ｄ  拡径部（係合部）
１１ｆ  縦孔
１２  インジケーターピン（軸部材）
１３  出力シャフト部材
１３ａ  操作凹溝
１３ｄ  下端部
１４  ロック部材
１４ｄ  摺動溝
１５  シリンダー錠ユニット
１６  キャップ
３０  マンホールの蓋
３１  固定受枠
３２  受部
【図１】
2007247326.tif 000003
【図２】
2007247326.tif 000004
【図３】
2007247326.tif 000005
【図４】
2007247326.tif 000006
【図５】
2007247326.tif 000007
【図６】
2007247326.tif 000008